(57)【特許請求の範囲】
【請求項１】
テープ状の支持体の両面にホットメルト接着剤を塗布するとともに、上記支持体をキュリー点の低い強磁性体で構成し、支持体を加熱してホットメルト接着剤を溶融し、金属探知手段により上記支持体がキュリー点に到達したことを感知してホットメルト接着剤が溶融したと判断することを特徴とするホットメルト接着テープにおけるホットメルト接着剤の溶融確認方法。
【請求項２】
前記支持体がＭｎ2Ｓｂ、Ｆｅ3Ｃ又はＣｒＯ2である、請求項1記載のホットメルト接着テープにおけるホットメルト接着剤の溶融確認方法。
【発明の詳細な説明】
【０００１】
【発明の属する技術分野】
本発明は、ホットメルト接着テープにおけるホットメルト接着剤の溶融確認方法に関する。
【０００２】
【従来の技術】
従来、石膏ボードなどの内装材を柱などの被着材に固定する手段として、釘、ステープル、ネジなどが用いられていたが、これらの部材を用いて内装材を固定する施工方法の場合は、内装材の表面に傷がつくため施工後にパテを埋めるなどの後処理が必要であった。そこで、内装材を傷めることなく被着材に固定する方法として、本出願人による接合材（特願２０００−２０２６４５号公報）が提案されている。この接合材は金属板の両面にホットメルト接着剤層を形成し、この接合材を被着材（柱）と内装材（石膏ボード）との間に挟み、誘導加熱機で石膏ボードの表面から金属板を加熱し、熱せられた金属板によってホットメルト接着剤を溶融して石膏ボードを柱に固定するものである。この接合材を用いた本工法は被着体に固定する部材の材質や厚さを考慮して誘導加熱機（電磁誘導装置）で加熱する時間を予め設定し、設定した時間が経過した後は誘導加熱機を押付けた状態でＯＦＦしてホットメルト接着剤を冷却することにより石膏ボードを柱に固定するようにしたものである。
【０００３】
【発明が解決しようとする課題】
しかしながら、上述の工法ではホットメルト接着剤の溶融が目視チェックできないボードの裏側で行なわれるため、施工時の周囲の温度、材料の温度などから誘導加熱機を設定した時間動作させてもホットメルト接着剤が確実に溶融したか否かが確認できない問題があった。
【０００４】
本発明は上記問題点を解消し、ホットメルト接着剤が溶融したか否かを判断することができるホットメルト接着テープにおけるホットメルト接着剤の溶融確認方法を提供することをその課題とする。
【０００５】
【課題を解決するための手段】
前記課題を解決するため、本発明に係るホットメルト接着テープにおけるホットメルト接着剤の溶融確認方法は、テープ状の支持体の両面にホットメルト接着剤を塗布するとともに、上記支持体をキュリー点の低い強磁性体で構成し、支持体を加熱してホットメルト接着剤を溶融し、金属探知手段により上記支持体がキュリー点に到達したことを感知してホットメルト接着剤が溶融したと判断することを特徴とする。
【０００６】
なお、前記支持体がホットメルト接着剤が溶融する温度Ｍｎ2Ｓｂ、Ｆｅ3Ｃ又はＣｒＯ2等の磁性材料で構成されることが望ましい。
【０００７】
【発明の実施の形態】
図１は、本発明に係るホットメルト接着剤の溶融確認方法に適用されるホットメルト接着テープの一例を示し、このホットメルト接着テープＡはテープ状の支持体１の両面にホットメルト接着剤２を塗布したもので、上記支持体１をキュリー点の低い強磁性体で構成したものである。この強磁性体は、例えば、キュリー温度が２７７℃のＭｎ2Ｓｂ、２１２℃のＦｅ3Ｃ又は１２４℃のＣｒＯ2等をホットメルト接着剤の溶融温度に応じて用いればよい。
【０００８】
このホットメルト接着テープＡは支持体１を加熱して支持体１の温度を上昇させ、支持体１を介してホットメルト接着剤２を加熱・溶融し、溶融したホットメルト接着剤２が冷却することにより接着対象物を被着材に接着させることができるようになっているものである。
【０００９】
このホットメルト接着テープＡを使用して、石膏ボードなどの内装材を柱などの被着材に接着する場合は、図２に示すように、予め表面に両面テープ３を貼り付け、剥離紙をはがすことにより被着材に仮止めできるようにしてもよい。そして、図３に示すように、両面テープで予め被着材である柱４に貼着したホットメルト接着テープＡの上から石膏ボード５を柱の所定の位置に位置決めして押し付けておく。
【００１０】
次に、石膏ボード５の表面にアイロンを当てるような要領で誘導加熱機（電磁誘導装置）６を押し当てて電磁誘導で支持体１を加熱し、加熱した支持体１の熱でホットメルト接着剤２を溶融させ、溶融したホットメルト接着剤２が冷却することにより石膏ボード５を柱４に固定することができる。
【００１１】
ところで、ホットメルト接着剤２が確実に溶融したか否かを確認するために、誘導加熱機には、図４、図５に示すように、筐体８の内部に誘導加熱用コイル９に加えて誘導加熱用コイル９の中央に配置された金属探知手段１０を配置し、金属探知手段の周波数の変化により金属の有無を検出するとともに、金属が所定の温度に到達したか否かを判断できるようにしたものを使用すればよい。
【００１２】
金属探知手段１０はセンサコイルとコンデンサーとによって構成される公知の共振回路で構成され、センサコイルが金属が近づくと、インダクタンスが変化することによる共振周波数の変化を利用して金属の有無を非接触で探知できるもので金属探知器等に用いられているものである。
【００１３】
制御部１１は高周波電流発生回路１２を作動させ、誘導加熱用コイル９に磁界を発生させて支持体１を誘導加熱すると、支持体１を構成する強磁性体の温度が上昇し、やがてキュリー点（キュリー温度）に到達することになる。強磁性体が加熱されキュリー点になると強磁性体は常磁性体になり磁性が弱くなるため、センサコイルの出力が弱くなるので共振周波数のピークが下がることになる。制御部１１は共振周波数のピークが下がったことを判断し、表示部（例えば、ブザー、ランプ等）１３を作動させることにより、支持体１の温度が所定の温度になったことを作業者が確認できるので、支持体１を介してホットメルト接着剤２が溶融したと判断することができ、誘導加熱機をいつまでも同じ場所にとどめることがなく接着の確実性と併せて作業の効率化を図ることができる。
【００１４】
上述したように、ホットメルト接着剤を充分に溶融させる温度にキュリー点がある磁性材料で支持体を構成することにより、支持体の温度がキュリー点に到達したか否かを判断することができれば、支持体がホットメルト接着剤を溶融する温度に到達したと判断することができる。
【００１５】
なお、キュリー点が低い支持体１を使用することは、１００℃から１８０℃程度の温度で溶融するホットメルト接着剤２を高温で加熱する必要がないためであり、高温で加熱することによる弊害を未然に防止することができるからである。
【００１６】
【発明の効果】
本発明によれば、誘導加熱機でホットメルト接着テープの内部に配置された金属の支持体を加熱しながら金属探知手段で周波数の変化を監視することによりホットメルト接着剤が充分に溶融したか否かを判断することができるので、目で確認できない状態であってもホットメルト接着剤による接着作業を確実に行なうことができる。
【００１７】
しかも、キュリー点の低い強磁性体を支持体にし、支持体の温度がキュリー点に到達したことを金属探知手段で確認することができるので、石膏ボードなどの内装材の裏側でホットメルト接着剤が溶融しているか否かを、温度計などで計測できない内装材の外側から確認することができる。
【００１８】
そして、支持体をＭｎ2Ｓｂ、Ｆｅ3Ｃ又はＣｒＯ2で構成すれば、必要以上の温度でホットメルト接着剤を加熱することがなく、ホットメルト接着剤を効果的に溶融することができる。
【図面の簡単な説明】
【図１】本発明に係る本発明に係るホットメルト接着剤の溶融確認方法に適用されるホットメルト接着テープの一例を示す断面図
【図２】仮止め用の両面テープを取り付けた状態を示すホットメルト接着テープの平面図
【図３】上記ホットメルト接着テープの使用態様を説明する斜視図
【図４】ホットメルト接着剤の溶融を確認する金属探知手段を備えた誘導加熱機の一例を示す説明図
【図５】上記誘導加熱機の構成を示すブロック図
【符号の説明】
１  支持体
２  ホットメルト接着剤
１０  金属探知手段
Ａ  ホットメルト接着テープ
【図１】
0004706136.tif 000002
【図２】
0004706136.tif 000003
【図３】
0004706136.tif 000004
【図４】
0004706136.tif 000005
【図５】
0004706136.tif 000006